(57)【要約】【課題】就寝、歩行あるいは水泳に支障をきたすことなく、長時間使用しても疲労感のないこむら返り防止装具を提供する。【解決手段】足の親指を持ち上げてこむら返りを防止するための装具であって、前記親指に装着される親指サック部材と、前記親指サック部材の後端に一端が連結され、装着された時に他端が足の踵あるいはその近傍に掛け渡されて、前記親指サック部材を前記踵あるいはその近傍の方向に引っ張る左右の連結バンド部材とを備え、前記親指サック部材は、装着された時に、前記連結バンド部材に引っ張られて親指のつま先を持ち上げる方向に親指を付勢するように連結バンド部材に連結されていることで、人の親指を持ち上げてこむら返りを防止することのできるこむら返り防止装具。【選択図】図１
2014068812.tif 000002
【特許請求の範囲】
【請求項１】
足の親指を持ち上げてこむら返りを防止するための装具であって、
前記親指に装着される親指サック部材と、前記親指サック部材の後端に一端が連結され、装着された時に他端が足の踵あるいはその近傍に掛け渡されて、前記親指サック部材を前記踵あるいはその近傍の方向に引っ張る左右の連結バンド部材とを備え、
前記親指サック部材は、装着された時に、前記連結バンド部材に引っ張られて親指のつま先を持ち上げる方向に親指を付勢するように連結バンド部材に連結されているこむら返り防止装具。
【請求項２】
足への装着時に人の足裏から前記左右の連結バンド部材に掛け渡されて前記左右の連結バンド部材を足裏方向に付勢する補助ベルト部材を備えてなる請求項１に記載のこむら返り防止装具。
【請求項３】
前記連結バンド部材は、人の足サイズに合わせて長さを調整するための長さ調整手段を備えてなる請求項１あるいは２のいずれかに記載のこむら返り防止装具。
【請求項４】
前記連結バンド部材および／若しくは補助ベルト部材が、伸縮可能な弾性体で構成されてなる請求項１〜３のいずれかに記載のこむら返り防止装具。
【請求項５】
当該こむら返り防止装具全体が、伸縮可能な弾性体で構成されてなる請求項１〜４のいずれかに記載のこむら返り防止装具。
【発明の詳細な説明】
【技術分野】
【０００１】
本発明は、こむら返り防止用の足装具に関する。
【背景技術】
【０００２】
就寝時などに足がつる症状は、足の筋肉の痙攣（けいれん）で、ふくらはぎ（こむら）に起こることが多いので「こむら返り」と言われている。下肢では、太ももやふくらはぎの筋肉に多く発生するが、足の裏がつる、足の指がつる場合も含んでこむら返りと言われており、いずれも原因は筋肉の異常収縮である。
足がつるこむら返りが起きた時には応急処置をしておかないと、ふくらはぎや足裏の筋肉が凝って硬くなった状態が続く。この状態では、時として、肉離れ（筋挫傷）を起こすこともあるので、注意を要する。
足がつるのは睡眠中、朝方、寝床の中等で何気なく伸びをした時などに起こることが多いようであるが、睡眠中だけでなく遊泳時にも発生する。それは、水泳におけるキック時に、ふくらはぎや、足裏の筋肉を急激に収縮させるためと考えられる。
【０００３】
上記のようなこむら返りの発生原因に基づき、就寝時などに足裏の筋肉を伸ばすことでこむら返りの発生を防止する考え方が存在する。
たとえば特許文献１には、図１２に示すように、下腿長より長めで、体幹寄りを厚く、あるいは、硬くした大腿部支持クッション１、下腿部クッション２を備え、こむら返り発生時に足関節を背屈位に保つ為の足尖底マクラ３と、ゴムバンドなどの弾性連結体４を組み合わせた輪状、袋状等種々の形状の構成体を備えた就寝用下肢クッションが記載されている。この就寝用下肢クッションは、就寝時に上記大腿部支持クッション１を下腿部クッション２に重ねた上に下肢を載せ、下腿部クッション２の一端と足の親指との間にゴムバンドなどの構成体を張着することで、親指を下腿部クッション２のほうに引っ張るようにしたものである。この親指を下腿部クッション２のほうに引っ張ることによって、足裏（土踏まず）およびのふくらはぎの筋肉が伸ばされ、足裏やふくらはぎの筋肉に急激な収縮が生じることが防止され、これによってこむら返りが防止されると考えられる。
【０００４】
また、別の考え方を記載したものとして特許文献２がある。これは、図１３に示すように、足首クッションパッド５と、足の趾（あしゆび）に引っかける為のゴムなどの足趾掛け紐６からなるクッションと、レッグウォーマやサポータ７を組み合わせた歩行補助と筋力訓練機能を併せ持つ装具である。この装具では、サポータ７とクッションパッド５でふくらはぎの部分を覆うことで下腿を保温してこむら返りを防止すると共にクッションパッド５に端部を固定した足趾掛け紐６を親指に掛けることで、親指をクッションパッド５の方向に引っ張って足裏の筋肉を引き伸ばし、これによってこむら返りが起こらないようにしている。
【先行技術文献】
【特許文献】
【０００５】
【特許文献１】特開２００８−１０４８２７号公報
【特許文献２】実用新案登録第３０８９３６５号公報
【発明の概要】
【発明が解決しようとする課題】
【０００６】
しかしながら、上記した従来のこむら返り防止装具では、親指Ａを引っ張る力の方向は、特許文献１では、下肢の下に置いた下肢部支持クッション２の端部の方向であり、特許文献２では、ふくらはぎに取り付けたクッションパッド５の方向である。これらの力の方向が、図１４に模式的に示される。このような力の方向性により、上記従来技術においては、親指Ａを引っ張る力が踵の関節Ｊに曲げモーメントを生じさせることになる。この力は、図１４に示した下肢の中心線ｉと足裏の線ｋとのなす角度θを小さくする向きに働くことになる。その結果、次のような不都合Ａ，Ｂを生じる。
Ａ．たとえば就寝時に、こむら返りを防止しようとしてこの装具を使った場合、就寝状態において長時間にわたって踵の関節Ｊに曲げモーメントを付与し、これが使用者に苦痛を与える。
Ｂ．このような装具は就寝時のみでなく、通常の生活状態、たとえば歩行時においても足に装着してこむら返りを防止できることが望ましいが、図１３に示した特許文献２に記載の装具では、下肢が前に引っ張られ、歩行時などに人が前につんのめる姿勢となり、実際上歩行困難となる。図１２に示した特許文献１記載の装具では、大腿部支持クッション１および下腿部クッション２が必須となり、通常のように起きて生活する場面では、用いること自体が不可能である。
さらに、上記したように、こむら返りは、水泳時にも生じることが周知であり、このような装具は水泳時にも装着してこむら返りを防止できることが望ましい。しかし、上記特許文献２記載の装具では、必須の構成であるサポータ７やクッションパッド５が邪魔となって水泳には適していない。上記特許文献１記載の装具では、大腿部支持クッション１および下腿部クッション２が必須であるので水泳に用いることは不可能である。
【０００７】
そこで、本発明は、踵の関節Ｊに曲げモーメントがかからず、長時間装着しても使用者に踵の関節Ｊへの苦痛を与えない、こむら返り防止装具の提供を第１の目的とする。さらに本発明は、水泳時にも用いることができるこむら返り防止装具の提供を第２の目的とする。
【課題を解決するための手段】
【０００８】
上記目的を達成するために本発明のこむら返り防止装具は、
足の親指を持ち上げてこむら返りを防止するための装具であって、
上記親指に装着される親指サック部材と、上記親指サック部材の後端に一端が連結され、装着された時に他端が足の踵あるいはその近傍に掛け渡されて、上記親指サック部材を上記踵あるいはその近傍の方向に引っ張る左右の連結バンド部材とを備え、
上記親指サック部材は、装着された時に、上記連結バンド部材に引っ張られて親指のつま先を持ち上げる方向に親指を付勢するように連結バンド部材に連結されているこむら返り防止装具として構成されている。
このこむら返り防止装具では、上記連結バンド部材の一端が、足の踵あるいはその近傍に掛け渡されているので、親指のつま先を持ち上げる力が足の踵あるいはその近傍にかかっても、踵の関節を曲げようとするモーメントを発生させないか、あるいはほとんど発生させない。この時、親指のつま先を持ち上げる力の方向が踵の関節よりも下の方向であれば、上記踵の関節を曲げようとするモーメントは皆無となる。このように、親指のつま先を持ち上げる力の方向を下に向かせるには、連結バンド部材を足裏方向に偏向させる偏向手段を用いればよい。このような偏向手段の一例として、この発明においては、足への装着時に人の足裏から上記左右の連結バンド部材に掛け渡されて上記左右の連結バンド部材を足裏方向に付勢する補助ベルト部材を備えて構成することができる。
さらにこの発明における上記連結バンド部材としては、人の足サイズに合わせて長さを調整するための長さ調整手段を備えてなるものであることが望ましい。これにより、使用する人の足のサイズによらず、親指サック部材を引っ張る力を適切に調整可能である。
また、上記連結バンド部材および／若しくは補助ベルト部材は、それ自身、伸縮可能な弾性体で構成されていることが望ましい。これによって、連結バンド部材および／若しくは補助ベルト部材に弛みが生じることがなく、常時適切な引っ張り力を得て足にぴったりフィットするこむら返り防止装具を構成することができる。
当該こむら返り防止装具全体が、伸縮可能な弾性体で構成されていてもよい。この場合、装具全体が足にぴったり沿ったものとなり、快適な装着感を得ることができる。
このように本発明のこむら返り防止装具は、足の親指を持ち上げてこむら返りを防止するための装具であって、上記親指に装着される親指サック部材と、上記親指サック部材の後端に一端が連結され、装着された時に他端が足の踵あるいはその近傍に掛け渡されて、上記親指サック部材を上記踵あるいはその近傍の方向に引っ張る左右の連結バンド部材とを備え、上記親指サック部材は、装着された時に、上記連結バンド部材に引っ張られて親指のつま先を持ち上げる方向に親指を付勢するように連結バンド部材に連結されているこむら返り防止装具として構成されているので、上記親指サック部材に親指を挿入すると共に、連結バンド部材を踵あるいはその近傍に掛けることで、連結バンド部材が親指サック部材を踵あるいはその近傍の方向に引っ張る。この時、上記親指サック部材が、上記連結バンド部材に引っ張られて親指のつま先が持ち上げられるので、足裏の筋肉ひいてはふくらはぎの収縮が防止され、こむら返りの発生が防止される。
この場合、上記連結バンド部材によって生じる親指を持ち上げようとする力は、踵あるいはその近傍の方向であるので、この力によって踵部分の関節に曲げモーメントは発生しないか、あるいは発生したとしても、極わずかである。これは、曲げモーメントを発生させるアームの長さが０あるいはほぼ０に近いためである。
従って本発明のこむら返り防止装具では、通常の使用状態、たとえば、就寝状態において長時間にわたって使用しても上記したように踵の関節部分に曲げモーメントを生じないか、あるいはほとんど生じないので、使用者に苦痛を与えるといった、たとえば特許文献２あるいは特許文献１などの従来の装具における問題点が生じない。
また、このような装具は就寝時のみでなく、通常の生活状態、たとえば歩行時においても足に装着してこむら返りを防止するようにできることが望ましい。しかし、図１３に示した特許文献２記載の装具では、下肢が前に引っ張られて歩行時などに人が前に「つんのめる」姿勢となり、実際上歩行困難となるが、本発明にかかるこむら返り防止装具を使用した場合、上記のように上記連結バンド部材によって生じる親指を持ち上げようとする力は、踵自体あるいはその近傍の方向であるので、この力によって踵部分の関節に曲げモーメントは発生しない。その結果、本発明にかかるこむら返り防止装具では、歩行が阻害されることがなく、歩行に疲れを感じるような不具合も発生しない。
さらに、上記したように、こむら返りは水泳時にも生じることが知られているが、上記特許文献２記載の装具では、その必須の構成であるサポータ７やクッションパッド５が邪魔となって水泳には適さない。これに対して本発明にかかるこむら返り防止装具は、それ自体、足に密着する構造であり、上記特許文献２記載の装具のようなサポータ７やクッションパッド５といった水泳の邪魔になる部材を必要としないので、水泳時にも装着することができ、水泳時のこむら返りを適切に防止することができる。
【発明の効果】
【０００９】
本発明の返り防止装具は、使用状態において上記親指サック部材が、上記連結バンド部材に引っ張られて親指のつま先が持ち上げられるので、足裏の筋肉の収縮が防止され、こむら返りの発生が防止されると共に、この時、踵部分の関節に曲げモーメントが生じないので、使用者に苦痛を与えるといった従来の装具における問題点が生じない。
また、同じ理由で、歩行を阻害する踵部分の関節にかかる曲げモーメントが生じないので、歩行状態において使用者に苦痛を与えるといった従来の装具における問題点が生じない。
さらに、簡素なサポータに類似の構成のみから成り立っているので、水泳の邪魔になるような構成がなく、水泳時にも装着することができ、水泳時用のこむら返り防止装具として好適である。
さらに又、上記のようにこの発明にかかるこむら返り防止装具では、歩行時に親指が持ち上げられるので、小さい段差などに衝突して激しい痛みが生じるいわゆる「つまづき」をも防止することができることは言うまでもない。
【図面の簡単な説明】
【００１０】
【図１】本発明の実施の形態に係るこむら返り防止装具の両足の使用状態を示す側面方向から見た斜視図に相当する写真。
【図２】本発明の実施の形態に係るこむら返り防止装具の両足の使用状態を示す正面方向から見た斜視図に相当する写真。
【図３】本発明の実施の形態に係るこむら返り防止装具の片足のみの使用状態を示す正面から見た斜視図に相当する写真。
【図４】本発明の実施の形態に係るこむら返り防止装具の片足のみの使用状態を示す側面から見た斜視図に相当する写真。
【図５】本発明の実施の形態に係るこむら返り防止装具の片足のみを足裏側から見た斜視図に相当する写真。
【図６】本発明の実施の形態に係るこむら返り防止装具のみの足に装着する前の状態を示す斜め下方から見た斜視図に相当する写真。
【図７】本発明の実施の形態に係るこむら返り防止装具のみの足に装着する前の状態を示す斜め上方から見た斜視図に相当する写真。
【図８】本発明の実施の形態に係るこむら返り防止装具のみの足に装着する前の状態を示す上方から見た斜視図に相当する写真。
【図９】本発明の実施の形態に係るこむら返り防止装具のみの足に装着する前の状態を示す下方から見た斜視図に相当する写真。
【図１０】本発明の実施の形態に係るこむら返り防止装具のみの足に装着した状態であって足を省略した状態を示す上方から見た平面図に相当する写真。
【図１１】本発明の実施の形態に係るこむら返り防止装具の折りたたんだ状態を示す斜視図に相当する写真。
【図１２】従来例にかかるこむら返り防止装具の一例を示す斜視図。
【図１３】従来例にかかるこむら返り防止装具の他の一例を示す斜視図。
【図１４】従来例にかかるこむら返り防止装具の不具合の原因を説明するための概念図。
【発明を実施するための形態】
【００１１】
以下、添付図面に基づいて本発明の実施の形態を詳細に説明する。なお、以下の説明では、必要に応じて特定の方向や位置を示す用語（たとえば、「上」、「下」、「右」、「左」及び、それらの用語を含む別の用語）を用いる。それらの用語の使用は図面を参照した発明の理解を容易にするためであって、それらの用語の意味によって本発明の技術的範囲が限定されるものではない。また、複数の図面に表れる同一符号の部分は同一の部分又は部材を示す。
【００１２】
図１〜図１１に示されているように、こむら返り防止装具１０は、足Ｃの親指Ａを持ち上げてこむら返りを防止するための装具である。
具体的に説明すると、上記こむら返り防止装具１０は、上記親指Ａに装着される親指サック部材１２と、上記親指サック部材１２の後端に一端１４Ａが連結され、足Ｃに装着された時に他端１４Ｂが上記足Ｃの踵Ｂに掛け渡されて、上記親指サック部材１２を上記踵Ｂの方向に引っ張る左右の連結バンド部材１４と、装着時に人の足裏Ｄから上記左右の連結バンド部材１４の中間部に掛け渡されて上記左右の連結バンド部材１４を足裏Ｄ方向に付勢する補助ベルト部材１６とを備えている。
【００１３】
そしてこの実施形態では、こむら返り防止装具１０全体が伸縮する薄いゴムフィルムからなる一体の弾性部材から構成されており、上記親指サック部材１２は、こむら返り防止装具１０が足Ｃに装着された時に、上記連結バンド部材１４に引っ張られて親指Ａのつま先Ａ１を上方に持ち上げる方向に親指Ａを付勢されるように連結バンド部材１４に対して傾斜して連結されている。このつま先Ａ１を上方に持ち上げる力の方向が図４に矢印Ｘで示されている。
この実施形態では、こむら返り防止装具１０全体が伸縮する薄いゴムフィルムからなる一体の弾性部材から構成されているが、こむら返り防止装具１０全体あるいはその一部が非弾性体で構成されてもよい。たとえば、布や皮革、不織布などであってもよい。その場合、足Ｃのサイズに合わせるような調整を備えることが望ましい。かかる連結バンド部材１４の後端における結合部の位置の調整などで、足Ｃのサイズに合わせたり、親指サック部材１２の引っ張り加減を調整するといった調整手段については、後記される。
上記のように上記親指サック部材１２が、こむら返り防止装具１０が足Ｃに装着された時に、上記連結バンド部材１４に引っ張られてつま先Ａ１を上方に引っ張るためには、上記のように親指サック部材１２が、連結バンド部材１４に対して傾斜して連結されているようにすることも１つの方法であるが、親指サック部材１２の上面のみが連結バンド部材１４に連結され、親指サック部材１２の上面を引っ張ることで親指Ａを上向きに回転させるような構成でもよい。図に示された形態では、親指サック部材１２が連結バンド部材１４に対して傾斜して連結されていると共に、その上面のみが連結バンド部材１４に連結されているという両方の構成を採用している。
【００１４】
この実施形態にかかるこむら返り防止装具１０は上記のように構成されているので、上記親指サック部材１２に親指Ａを挿入すると共に、連結バンド部材１４を引っ張って踵Ｂに掛けることで、連結バンド部材１４が自身の弾性機能により親指サック部材１２を踵Ｂの方向に引っ張ることになる。この時、上記親指サック部材１２が、上記連結バンド部材１４に引っ張られて親指Ａのつま先Ａ１が上方に持ち上げられる。このように親指Ａが足Ｃの甲の方向に引っ張り上げられることで、足裏Ｄの筋肉が伸ばされ、足裏Ｄの筋肉が収縮されず、それによってこむら返りの発生が防止される。
図示の実施形態では、上記のように、足Ｃへの装着時に連結バンド部材１４を引っ張って踵Ｂに掛けるようにしているが、必ずしも踵Ｂ自身に掛けねばならないというわけではなく、踵Ｂの近傍、たとえば踵Ｂに続くアキレス腱の部分に掛けてもよい。特に、後記する補助ベルト部材１６を用いた場合には、アキレス腱のさらに上方に連結バンド部材１４を掛けても親指サック部材１２を引っ張る方向を踵Ｂの方向に設定することができる。
【００１５】
この実施形態はさらに、足Ｃへの装着時に人の足裏Ｄから上記左右の連結バンド部材１４に掛け渡されて上記左右の連結バンド部材１４を足裏Ｄ方向に付勢する補助ベルト部材１６を備えて構成されている。
図１４に示したように、親指Ａを引っ張り上げる力Ｗの方向と、足裏の面の方向とのなす角度βが大きくなると踵Ｂの関節Ｊにかかる曲げモーメントが大きくなるので長時間の使用に耐えないものとなる。このような不都合を回避するには、親指Ａを引っ張り上げる力Ｗの方向を踵Ｂあるいはその近傍の方向へ偏向させればよい。補助ベルト部材１６は、このような親指Ａを引っ張り上げる力Ｗの方向を踵Ｂあるいはその近傍の方向へ偏向させる偏向手段の一例である。補助ベルト部材１６によって、上記左右の連結バンド部材１４の中間部分が足裏方向に付勢されるので、上記左右の連結バンド部材１４による引っ張り力の方向が、踵Ｂあるいはその近傍の方向へ偏向される。これにより踵Ｂの関節Ｊにかかる曲げモーメントの発生が防止され、長時間使用しても踵Ｂの関節Ｊに疲れを感じないものとなる。
補助ベルト部材１６は、それ自身ゴムの薄いフィルムのような材料で構成されているが、これは一例であって、紐、布のような非弾性部材であってもかまわない。
また、補助ベルト部材１６を沿わせる場所は、上記のように土踏まずの位置が適当であるが、土踏まずから踵Ｂの下面にわたる広い面、あるいは踵Ｂの下面のみであってもかまわないであろう。
【００１６】
この実施形態ではさらに、上記連結バンド部材１４が、人の足サイズに合わせて長さが調整可能となっている。即ち、左右の連結バンド部材１４その上記他端１４Ｂにマジックテープ（登録商標）などの面ファスナー１８Ａ、１８Ｂが縫い付けられており、上記面ファスナー１８Ａ、１８Ｂの接合位置を調整することで記連結バンド部材１４の長さを調整することができる。これにより、使用する人の足Ｃのサイズによらず、親指サック部材を１２引っ張る力を適切に調整可能とされる。
面ファスナー１８Ａ、１８Ｂは、本発明における長さ調整手段の一例であるが、長さ調整手段の他の例として、たとえば、ボタン、ホックなどでもかまわない。あるいは、左右の連結バンド部材１４の端部を自由な長さ位置で結ぶことで、足Ｃのサイズに合わせるような方法であってもよい。
【００１７】
さらに、上記したようにこむら返り防止装具１０全体、あるいは少なくとも連結バンド部材１４が、それ自身、伸縮可能な弾性体で構成されていることによって、連結バンド部材１４に弛みが生じることがなく、常時適切な引っ張り力を得ることができる。このような適当な張りによって足Ｃに不要な力を掛けることがなく、これによって人の疲労を防止できることは長時間装着するために重要である。
上記したように、このようなこむら返り防止装具１０全体は、それ全体が伸縮可能な弾性体で構成されていてもよい。この場合、装具全体が足Ｃにぴったり沿ったものとなり、快適な装着感を得ることができる。
【００１８】
上記したようにこの実施形態にかかるこむら返り防止装具１０では、上記親指サック部材１２に親指Ａを挿入すると共に、連結バンド部材１４を踵Ｂに掛けることで、連結バンド部材１４が親指サック部材１２を踵Ｂあるいはその近傍の方向に引っ張る。この時、上記親指サック部材１２が、上記連結バンド部材１４に引っ張られて親指Ａのつま先Ａ１が持ち上げられるので、足裏Ｄの筋肉の収縮が防止され、こむら返りの発生が防止される。
この場合、上記連結バンド部材１４によって生じる親指Ａを持ち上げようとする力は、踵Ｂ自体あるいはその近傍の方向であるので、この力によって踵Ｂ部分の関節に曲げモーメントは発生しない。これは、曲げモーメントを発生させるアームの長さが０であるためである。
従ってこの実施形態にかかるこむら返り防止装具１０では、通常の使用状態、たとえば、就寝状態において長時間にわたって使用しても、上記したように踵Ｂの関節部分に曲げモーメントを生じないので、使用者に苦痛を与えるといった問題点が生じない。これにより、たとえば特許文献１あるいは２などの従来の装具における問題点が生じない。
【００１９】
また、このようなこむら返り防止装具１０は就寝時のみでなく、通常の生活状態、たとえば歩行時においても足Ｃに装着してこむら返りを防止するようにできることが望ましい。この点、図１３に示した特許文献２記載の装具では、下肢が前に引っ張られて歩行時などに人が前につんのめる姿勢となり、実際上歩行困難となるが、この実施形態にかかるこむら返り防止装具１０を使用した場合、上記のように上記連結バンド部材１４によって生じる親指Ａを持ち上げようとする力は、踵Ｂ自体の方向であるので、この力によって踵Ｂ部分の関節に曲げモーメントは発生しない。その結果、この実施形態にかかるこむら返り防止装具１０では、歩行が阻害されることがなく、歩行に疲れを感じるような不具合が発生しない。
【００２０】
さらに、上記したように、こむら返りは、水泳時にも生じることが知られているが、上記特許文献２記載の装具では必須の構成であるサポータ７やクッションパッド５が邪魔となって水泳には適さない。これに対してこの実施形態にかかるこむら返り防止装具１０は、それ自体、足Ｃに密着するサポータのような構造であるため、上記特許文献２記載の装具のようなサポータ７やクッションパッド５といった水泳の邪魔になる部材を必要とせず、水泳時のこむら返りを適切に防止することができる。
【００２１】
以上述べたように、上記実施形態にかかるこむら返り防止装具１０では、使用状態において上記親指サック部材１２が、上記連結バンド部材１４に引っ張られて親指Ａのつま先Ａ１が持ち上げられるので、足裏Ｄの筋肉の収縮が防止され、こむら返りの発生が防止されると共に、この時、踵Ｂ部分の関節に曲げモーメントが生じないので、使用者に苦痛を与えるといった従来の装具における問題点が生じない。
また、同じ理由で、歩行を阻害する踵Ｂ部分の関節にかかる曲げモーメントが生じないので、歩行状態において使用者に苦痛を与えるといった従来の装具における問題点が生じない。
【００２２】
さらに、簡素なサポータに類似の構成のみから成り立っているので、水泳の邪魔になるような構成がなく、水泳時用のこむら返り防止装具として好適である。
さらに又、上記のようにこの実施形態にかかるこむら返り防止装具１０では、歩行時に親指Ａが持ち上げられるので、小さい段差などに衝突して激い痛みが生じる、いわゆる「つまづき」をも防止することができる。
【産業上の利用可能性】
【００２３】
本発明は、足のこむら返りを防止するための装具に適用可能である。
【符号の説明】
【００２４】
１０    こむら返り防止装具
１２    親指サック部材
１４  連結バンド部材
１４Ａ  一端
１４Ｂ  他端
１６    補助ベルト部材
１８Ａ、１８Ｂ    面ファスナー
Ａ  親指
Ａ１  つま先
Ｂ  踵
Ｃ  足
Ｄ  足裏
【図１２】
2014068812.tif 000003
【図１３】
2014068812.tif 000004
【図１４】
2014068812.tif 000005
【図１】
2014068812.tif 000006
【図２】
2014068812.tif 000007
【図３】
2014068812.tif 000008
【図４】
2014068812.tif 000009
【図５】
2014068812.tif 000010
【図６】
2014068812.tif 000011
【図７】
2014068812.tif 000012
【図８】
2014068812.tif 000013
【図９】
2014068812.tif 000014
【図１０】
2014068812.tif 000015
【図１１】
2014068812.tif 000016